(57)【特許請求の範囲】
【請求項１】
直流電源と；
この直流電源からの出力電圧をスイッチングして高周波電流を発生するスイッチング回路と；
このスイッチング回路より発生された高周波電流を放電ランプに供給する負荷回路と；
この負荷回路の電圧レベルより前記放電ランプの異常を検出する異常検出回路と；
前記負荷回路に前記放電ランプの一方のフィラメントが装着されたことを検出すると、リセット信号を出力するフィラメント装着検出回路と；
抵抗とコンデンサを含む直列回路で構成され、異常検出回路が前記異常を検出するとコンデンサの充電による計時を開始し、前記異常を検出しなくなるとコンデンサの充電による計時を停止するタイマー回路と；
このタイマー回路が所定時間計時したことを検出すると共に、フィラメント装着検出回路によるリセット信号を受けるとリセットされる検出回路と；
この検出回路によってタイマー回路が所定時間計時したことの検出がなされると、前記スイッチング回路より発生される高周波出力を低減ないし停止させる一方、検出回路がリセットとなることに応じて放電ランプが点灯するようにスイッチング回路によるスイッチング動作を行わせる制御回路と；
前記検出回路によってタイマー回路が前記所定時間計時したことの検出がなされると前記コンデンサの両端を短絡させるスイッチ素子を含んで構成され、前記タイマー回路をリセットするリセット回路と；
を具備したことを特徴とする放電ランプ点灯装置。
【請求項２】
請求項１に記載の放電ランプ点灯装置と；
この放電ランプ点灯装置の放電ランプからの光を反射する反射板と；
この放電ランプ点灯装置を組み込んだ照明装置本体と；
を具備したことを特徴とする照明装置。
【発明の詳細な説明】
【０００１】
【発明の属する技術分野】
本発明は蛍光ランプのような放電ランプを点灯する放電ランプ点灯装置と、この放電ランプ点灯装置を用いた照明装置に関する。
【０００２】
【従来の技術】
図８は従来の放電ランプ点灯装置の構成例を示したブロック図である。商用電源などの交流電源１から供給される交流は、整流回路２にて整流された後、インバータ回路３に入力される。インバータ回路３は入力される整流電流をスイッチングして、高周波電流を発生し、この高周波電流を放電ランプ４１を装着している負荷回路４に供給して、放電ランプ４１を点灯する。この際、インバータ回路３の図示しないスイッチング素子のオンデューティやスイッチング周波数は、制御回路５により制御される。
【０００３】
上記のように放電ランプ４１が点灯している時に、例えば放電ランプ４１が外れるなどすると、異常検出回路７がこれを検出して、タイマー回路１０を起動する。タイマー回路１０は図９の時点０で起動され、その出力レベルを時間経過と共に上げていき、比較回路９に出力する。比較回路９はタイマー回路１０の出力レベルが図９の時点ｔ０で設定値（基準電圧）Ｖａに達すると、ハイレベルの検出信号を制御回路５に出力する。但し、比較回路９はリセットされるまで、その検出信号の出力を保持する機能を有するものとする。尚、異常検出回路７が異常を検出して、直ぐに制御回路５によってインバータ回路３の動作を停止したり、或いはその出力を絞らず、タイマー回路１０による所定時間の計時を待って行うのは、この間に異常が回復すれば、インバータ回路を停止する等の制御を頻繁にしないで済む放電ランプ始動時の始動電圧印時に作用しないようにできる等のためである。
【０００４】
制御回路５は比較回路９からハイレベルの検出信号が入力されると、インバータ回路３の前記スイッチ素子のオンデューティを短くまたは発振周波数を変化させてインバータ回路３の出力を絞るか、或いはスイッチング動作を停止してその出力を０とすることにより、インバータ回路３を保護する。インバータ回路３の出力が絞られるか、或いは停止されると、異常検出回路７が異常を検出しなくなるため、タイマー回路１０の計時は停止され、その出力レベルは図示されないコンデンサや抵抗で決まる時定数で徐々に図９に示すように低下して、タイマー回路１０がリセットされる。
【０００５】
ここで、タイマー回路１０による計時（カウント）のリセットが、図９に示すように遅いために、タイマー回路１０の出力値が設定値Ｖａに達して前記インバータ回路３のスイッチングを停止、或いは出力を絞るように制御した後、直ぐに放電ランプ４１を負荷回路４に装着すると、以下に述べるような理由で点灯できない場合がある。
【０００６】
即ち、放電ランプ４１を負荷回路４に装着した際に、フィラメント装着検出回路８の装着検出のある側のフィラメントが先に装着されると、フィラメント装着検出回路８によって保持機能を持つ比較回路９がリセットされる。これにより、制御回路５はインバータ回路３を動作させるか、或いはその出力を予熱モードの正常値に上げる。
【０００７】
しかし、この時点では、放電ランプ４１の他方のフィラメントが装着されていないので、負荷回路４の電圧が上昇するため、異常検出回路７が再度異常を検出して、タイマー回路１０を再度起動する。これにより、タイマー回路１０は再び計時を始めるが、この計時開始時点で、タイマー回路１０の出力値が十分に下がつていない状態にあると、その後、前記放電ランプ４１のもう一方のフイラメントが装着される前に、タイマー回路１０の出力値が設定値Ｖａに再度達して、前記インバータ回路３のスイッチングを停止したり、或いは出力を絞るような制御が制御回路５によりなされる。これにより、放電ランプ４１が負荷回路４に完全に装着されても、放電ランプ４１が点灯しないという不具合が生じる。
【０００８】
図１０は上記した放電ランプ４１が外れた後、直ちに放電ランプ４１を装着した際の不点灯現象を説明するタイマー回路１０の出力レベルの経時変化を示した図である。時点０で、放電ランプ４１が負荷回路４から外れると、タイマー回路１０が起動してその出力レベルが上昇し、時点ｔ０で設定値Ｖａに達することにより、インバータ回路３が停止するか、その出力が絞られる。これにより、タイマー回路１０はそのカウント動作を停止して、出力レベルが下降し出す。その後、時点ｔ１で、放電ランプ４１の片方のフィラメントが装着されると、再度タイマー回路１０が起動してその出力レベルが上昇するが、直ぐに時点ｔ２で設定値Ｖａに達し、インバータ回路３が再度停止するか、その出力が絞られる。このため、時点ｔ３で放電ランプ４１のもう一方のフィラメントが装着されても、インバータ回路３が停止しているか、その出力が絞られているため、放電ランプ４１は点灯しない。
【０００９】
【発明が解決しようとする課題】
上記のように、従来の放電ランプ点灯装置では、負荷回路４から放電ランプ４１が外れたような時に、直ちに放電ランプ４１を負荷回路４に装着した場合、フィラメント装着検出回路８の装着検出のある側のフィラメントが先に装着されると、タイマー回路１０が完全にリセットされていない状態で再度タイマー回路１０が計時を開始し、放電ランプ４１のもう片方のフィラメントが負荷回路４に装着される前に、タイマー回路１０の前記計時が設定値Ｖａに達して、再度インバータ回路３を停止するか、又はその出力を絞る制御が行われるため、放電ランプ４１が点灯しないという課題があった。
【００１０】
そこで本発明は上記のような課題を解決するためになされたもので、放電ランプが外れた時に放電ランプを直ちに再装着した際に、この放電ランプを確実に点灯させることができる放電ランプ点灯装置及びこの放電ランプ点灯装置を用いた照明装置を提供することを目的としている。
【００１１】
【課題を解決するための手段】
請求項１の発明は、直流電源と；この直流電源からの出力電圧をスイッチングして高周波電流を発生するスイッチング回路と；このスイッチング回路より発生された高周波電流を放電ランプに供給する負荷回路と；この負荷回路の電圧レベルより前記放電ランプの異常を検出する異常検出回路と；前記負荷回路に前記放電ランプの一方のフィラメントが装着されたことを検出すると、リセット信号を出力するフィラメント装着検出回路と；抵抗とコンデンサを含む直列回路で構成され、異常検出回路が前記異常を検出するとコンデンサの充電による計時を開始し、前記異常を検出しなくなるとコンデンサの充電による計時を停止するタイマー回路と；このタイマー回路が所定時間計時したことを検出すると共に、フィラメント装着検出回路によるリセット信号を受けるとリセットされる検出回路と；この検出回路によってタイマー回路が所定時間計時したことの検出がなされると、前記スイッチング回路より発生される高周波出力を低減ないし停止させる一方、検出回路がリセットとなることに応じて放電ランプが点灯するようにスイッチング回路によるスイッチング動作を行わせる制御回路と；前記検出回路によってタイマー回路が前記所定時間計時したことの検出がなされると前記コンデンサの両端を短絡させるスイッチ素子を含んで構成され、前記タイマー回路をリセットするリセット回路と；を具備したことを特徴とする。
【００１２】
このような構成により、前記スイッチング回路は直流電源からの出力電圧をスイッチングして高周波電流を発生して、負荷回路に供給することにより、負荷回路に装着された蛍光灯のような放電ランプを点灯する。この状態で、放電ランプが負荷回路からはずれると、異常検出回路は負荷回路の電圧レベルが上昇することにより前記放電ランプの異常を検出して、タイマー回路の計時を開始させる。制御回路はタイマー回路の計時が前記検出回路により所定時間に達したことを知ると、前記スイッチング回路より発生される高周波出力を絞るか、又はスイッチング動作を停止させる。これと同時に、リセット回路は前記検出回路によってタイマー回路が所定時間経時したことの検出がなされると、タイマー回路をリセットする。制御回路により前記スイッチング回路より発生される高周波出力が絞られるか、又はスイッチング動作が停止されると、異常検出回路が異常を検出しなくなるため、タイマー回路の計時は停止され、上記のようにリセットされた状態を維持する。ここで、放電ランプが負荷回路に装着され、フィラメント装着検出回路が前記放電ランプの一方のフィラメントが装着されたことを検出すると、フィラメント装着検出回路は前記検出回路をリセットするため、制御回路はスイッチング回路を動作させるか、その出力をフィラメント加熱モードの正常値まで上昇させる。この時、前記放電ランプの他方のフィラメントが装着されていない場合、負荷回路の電圧の上昇により、異常検出回路が異常を再度検出して、タイマー回路の計時を開始させる。しかし、この時、タイマー回路の計時はリセット状態から開始されるため、前記放電ランプの他方のフィラメントが装着される前に、タイマー回路の計時が前記所定時間に達することはなく、前記スイッチング回路の動作が正常に維持され、前記放電ランプの他方のフィラメントが装着されると、フィラメント予熱モードを経由して、前記放電ランプを点灯する。前記タイマー回路のコンデンサに電流が供給されてその端子電圧が設定値に達することにより、タイマー回路が所定時間計時したことを検出する。検出回路が所定時間計時したことを検出すると、検出信号が前記リセット回路のスイッチ素子の制御端子に印加され、このスイッチ素子をオンにする。これにより、コンデンサの両端が短絡されて、その端子電圧が０にすることにより、短時間に
、タイマー回路がリセットされる。
【００１９】
請求項２の発明は、請求項１に記載の放電ランプ点灯装置と、この放電ランプ点灯装置の放電ランプからの光を反射する反射板と、この放電ランプ点灯装置を組み込んだ照明装置本体とを具備している。
【００２０】
このような構成により、前記照明装置本体に組み込まれた放電ランプ点灯装置が放電ランプを点灯し、放電ランプからの光は反射板にて反射されて、所定範囲を照射する。
【００２１】
【発明の実施の形態】
以下、本発明の実施の形態を図面を参照して説明する。図１は本発明の放電ランプ点灯装置の第１の実施の形態を示したブロック図である。１は商用電源などの交流電源、２は交流電源１から供給される交流を整流する整流回路、３は整流回路２から入力される整流電流をスイッチングして高周波電流を負荷回路４に出力するインバータ回路、４は放電ランプ４１などの負荷に高周波電流を供給して点灯させる負荷回路、５はインバータ回路３のスイッチング動作やスイッチング素子のオンデューティを制御する制御回路、６は放電ランプ４１の点灯を検出する点灯検出回路、７は放電ランプ４１が外れた場合などの異常を検出する異常検出回路、８は負荷回路４に放電ランプ４１を装着した際のフィラメントの装着を検出するフィラメント装着検出回路、９はタイマー回路１０のタイムアウトを検出してこれを制御回路５に知らせる出力レベル保持機能付の比較回路、１１はタイマー回路１０をリセットするタイマーリセット回路である。
【００２２】
図２は図１に示した放電ランプ点灯装置の詳細回路図である。インバータ回路３はスイッチングトランジスタＴｒ１、Ｔｒ２、コンデンサＣ１、Ｃ２を有している。図示は省略したが、スイッチングトランジスタＴｒ１、Ｔｒ２にはそれぞれ逆並列にダイオードを設けるのが好ましい。なお、電界効果形のトランジスタを用いる場合には、その寄生ダイオードを利用できる。負荷回路４は昇圧トランスＴ、コンデンサＣ５、Ｃ６を有している。点灯検出回路６、異常検出回路７はコンデンサＣ３、Ｃ４、ダイオードＤ１、Ｄ２、抵抗Ｒ１、ツェナーダイオードＺＤ及びフォトカプラの発光素子４２を有している。４３はフォトカプラの受光素子である。タイマー回路１０は抵抗Ｒ２とコンデンサＣ７の直列回路である。タイマーリセット回路１１はコンデンサＣ７に並列に接続されたトランジスタＴｒ３と、トランジスタＴｒ３のベースバイアス抵抗Ｒ３から成っている。１２は点灯検出信号を制御回路５に入力するバッファである。
【００２３】
次に本実施の形態の動作について説明する。商用電源などの交流電源１から供給される交流は、整流回路２にて整流された後、制御回路５によりスイッチング動作等が制御されるインバータ回路３に入力される。インバータ回路３は入力される整流電流をスイッチングして、高周波電流を発生し、この高周波電流を放電ランプ４１を接続する負荷回路４に供給して、放電ランプ４１を点灯する。
【００２４】
上記のように放電ランプ４１が点灯している時に、例えば放電ランプ４１が外れるなどすると、異常検出回路７がこれを検出して、タイマー回路１０を起動する。ここで、異常検出回路７及びタイマー回路１０の動作について図２を参照して詳しく説明する。図２にて、例えば片方の放電ランプ４１が外れると、負荷が軽くなるため、トランスＴの２次側の電圧が上昇する。このトランスＴの２次側の電圧はコンデンサＣ３，Ｃ４で分圧された後、ダイオードＤ１，Ｄ２により整流されてツェナーダイオードＺＤに印加される。上記したように、トランスＴの２次側の電圧が上昇すると、ツェナー電圧以上となり、ツェナーダイオードＺＤがオンになって、フォトカプラの発光素子４２を発光する。この発光素子４２が発光すると、フォトカプラの受光素子４３がオンになって、電源Ｖｃｃから電流が抵抗Ｒ２を介してコンデンサＣ７に流れ込み、コンデンサＣ７を充電する。このため、コンデンサＣ７の端子電圧は図３に示す如く、放電ランプ４１が外れた０時点から上昇を開始する。
【００２５】
タイマー回路１０は上記したように時点０で起動され、その出力レベルが時間経過と共に上がり、図３の時点ｔ０で設定値（基準電圧）Ｖａに達する。これを比較回路９が検出すると、制御回路５及びタイマーリセット回路１１にハイレベルの検出信号を出す。制御回路５は比較回路９からハイレベルの検出信号が入力されると、インバータ回路３のトランジスタＴｒ１、Ｔｒ２のオンデューティを短くして、インバータ回路３の出力を絞るか、或いはスイッチング動作を停止してその高周波出力を０とすることにより、インバータ回路を保護する。インバータ回路３が高周波出力を絞るか、或いはスイッチング動作を停止すると、負荷回路４の電圧が下がり、異常検出回路７は異常を検出しなくなるため、フォトカプラの発光素子４２がオフして、受光素子４３がオフとなって、タイマー回路１０のコンデンサＣ７への充電が停止され、タイマ回路１０はその計時を停止する。
【００２６】
また、タイマーリセット回路１１では、比較回路９からのハイレベルの検出信号が入力されると、図２に示すトランジスタＴｒ３がオンになる。これにより、タイマー回路１０のコンデンサＣ７の端子間がトランジスタＴｒ３によりショートされ、その端子電圧は図３に示すように時点ｔ０以降、急速に０となって、タイマー回路１０がリセットされる。
【００２７】
ここで、タイマー回路１０の出力値が設定値Ｖａに達して、前記インバータ回路３のスイッチング動作を停止或いは出力を絞るように制御した後、直ぐに放電ランプ４１を負荷回路４に装着した際に、フィラメント装着検出回路８の装着検出のある側のフィラメントが先に装着されると、比較回路９はフィラメント装着検出回路８によりリセットされ、制御回路５がインバータ回路３を動作させるか、その出力を予熱モードの正常値とする。
【００２８】
しかし、この時点では、放電ランプ４１の他方のフィラメントが装着されていないため、負荷回路４の電圧が上昇するため、異常検出回路７が再度異常を検出して、タイマー回路１０を再度起動して、コンデンサＣ７への充電を開始し、タイマー回路１０は再び計時を始める。この時、タイマー回路１０のコンデンサＣ７の電荷は０でその出力値が０に下がつているため、その後、前記放電ランプ４１のもう一方のフイラメントが装着される前に、タイマー回路１０の出力値が再度設定値Ｖａに達することがない。
【００２９】
その後、放電ランプ４１のもう一方のフイラメントが装着されると、異常検出回路７は異常検出をしなくなり、コンデンサＣ７への充電が停止され、タイマー回路１０の計時動作が停止される。このため、インバータ回路３のスイッチングは正常に維持され、放電ランプ４１のフィラメントが予熱された後、点灯する。放電ランプ４１が点灯すると、点灯検出回路６が点灯を検出して、これを制御回路５に知らせるため、制御回路５は定常状態のスイッチングがなされるようにインバータ回路３を制御する。
【００３０】
本実施の形態によれば、放電ランプ４１が負荷回路４から外れて、タイマー回路１０がタイムアウトすると、タイマーリセット回路１１により、このタイマー回路１０を短時間にリセットすることができる。このため、放電ランプ４１が外れて、直ぐに、放電ランプ４１が再装着され、この時に、フィラメント装着検出回路８の装着検出のある側のフィラメントが先に装着されて、インバータ回路３が動作すると、異常検出回路７が再度異常を検出して、タイマー回路１０が再度計時を開始しても、放電ランプ４１のもう片方のフィラメントが負荷回路４に装着される前に、タイマー回路１０がタイムアウトすることがないため、制御回路５はそのまま正常動作を持続して、放電ランプ４１を確実に点灯させることができる。
【００３１】
図４は本発明の放電ランプ点灯装置の第２の実施の形態を示したブロック図である。本例はタイマー回路１０をリセットするリセット回路の代わりに、タイマー回路１０の時定数を変更して、その放電時の時定数を短くすることにより、タイマー回路１０を短時間でリセットする時定数変更回路１３が設けられている。他の構成は図１に示した第１の実施の形態と同様である。
【００３２】
図５は図４に示した時定数変更回路１３とタイマー回路１０の詳細構成例を示した回路図である。タイマー回路１０は抵抗Ｒ２とコンデンサＣ７の直列回路により構成されている。コンデンサＣ７はダイオードＤ３を介して接地され、また、コンデンサＣ７に並列にトランジスタＴｒ５が接続されている。このトランジスタＴｒ５のベースはコンデンサＣ７とダイオードＤ３の接続点に接続されている。尚、時定数変更回路１３はトランジスタＴｒ５とダイオードＤ３により構成されている。
【００３３】
次に本実施の形態の動作について説明する。インバータ回路３が正常動作して、放電ランプ４１が点灯している時に、この放電ランプ４１が外れるなどすると、異常検出回路７が異常を検出して、タイマー回路１０を起動する。即ち、図５にて、異常検出回路７が上記異常を検出すると、ハイレベルの信号をバッファ１４を介して、トランジスタＴｒ４のベースに入力する。これにより、電源ＶｃｃからトランジスタＴｒ４、抵抗Ｒ２を介してコンデンサＣ７に電流が流れ、コンデンサＣ７の充電が開始される。コンデンサＣ７に充電電流が流れると、トランジスタＴｒ５がオンすると共に、ダイオードＤ３が逆バイアスされて、抵抗Ｒ２からの電流はそのほとんどがトランジスタＴｒ５側に流れるため、コンデンサＣ７は徐々に充電されて、その端子電圧は上記した放電ランプ４１が外れた時点０から図６に示すように除々に上昇する。
【００３４】
こうして、タイマー回路１０の出力値が図６のｔ０時点で設定値Ｖａに達すると、比較回路９は制御回路５にハイレベルの検出信号を出す。制御回路５は比較回路９からハイレベルの検出信号が入力されると、インバータ回路３のスイッチング素子のオンデューティを短くしてインバータ回路３の出力を絞るか、或いはスイッチング動作を停止して、その出力を０とすることにより、インバータ回路３を保護する。インバータ回路３の出力を絞るか、或いはスイッチング動作を停止してその出力を０とすると、異常検出回路７が異常を検出しなくなるので、図５のトランジスタＴｒ４がオフになって、タイマー回路１０はその計時動作、即ち、コンデンサＣ７への充電が停止される。
【００３５】
こうして、コンデンサＣ７への充電が停止されると、トランジスタＴｒ５はオフになると共に、コンデンサＣ７の放電が開始され、ダイオードＤ３が順方向にバイアスされて、オンになる。このため、コンデンサＣ７の放電は比較回路９を介して図６に示すように時点ｔ０から急速に行われ、タイマー回路１０は短時間でリセットされる。即ち、タイマー回路１０のコンデンサＣ７にダイオードＤ３を直列に接続する共に、コンデンサＣ７にトランジスタＴｒ５を並列に接続することにより、コンデンサＣ７の充電時には、タイマー回路１０の時定数を長く、コンデンサＣ７の放電時には時定数を短くする制御が行われる。なお、ダイオードＤ３を小抵抗に置換えても若干電力損失は生じるが同様に作用する。
【００３６】
本実施の形態も、インバータ回路３の出力を絞るか、或いはスイッチング動作を停止してその出力を０とした時点以降、異常検出回路７が異常を検出しなくなると、タイマー回路１０は短時間でリセットされるため、第１の実施の形態と同様の理由により、放電ランプ４１が負荷回路４から外れて、これを直ぐに負荷回路４に装着しても、放電ランプ４１を確実に点灯させることができる。
【００３７】
図７は本発明の照明装置の一実施の形態の構成を示した斜視図である。７１は照明装置本体で、この照明装置本体７１に放電ランプの一種である蛍光ランプ７２が装着されている。この蛍光ランプ７２は図１又は図４に示した放電ランプ点灯装置により点灯され、反射板７３により反射されて周囲に照射される。尚、上記した放電ランプ点灯装置は照明装置本体７１に内蔵されている。
【００３８】
本実施の形態によれば、蛍光ランプ７２が外れた後、直ちにこの蛍光ランプ７２を装着した場合でも、前記放電ランプ点灯装置は必ずこの蛍光ランプ７２を点灯するため、装置の使い勝手を向上させることができると共に、照明装置の保守を容易にすることができる。
【００３９】
【発明の効果】
以上記述した如く請求項１の発明によれば、インバータ回路の出力を絞った時に、タイマーリセット回路によりタイマー回路をリセットすることにより、放電ランプが外れた際に放電ランプを直ちに再装着しても、この放電ランプを確実に点灯させることができる。
【００４１】
請求項２の発明によれば、請求項１に記載の放電ランプ点灯装置を用いているため、蛍光灯などの放電ランプが外れた際に、これを直ぐに装着しても必ず放電ランプを点灯させることができ、使い勝手が向上されると共に、メインテナンスを容易にすることができる。
【図面の簡単な説明】
【図１】本発明の放電ランプ点灯装置の第１の実施の形態を示したブロック図。
【図２】図１に示した放電ランプ点灯装置の詳細回路図。
【図３】図１に示したタイマー回路の出力値の時間経過変化例を示した図。
【図４】本発明の放電ランプ点灯装置の第２の実施の形態を示したブロック図。
【図５】図４に示した時定数変更回路とタイマー回路の詳細構成例を示した回路図。
【図６】図４に示したタイマー回路の出力値の時間経過変化例を示した図。
【図７】本発明の照明装置の一実施の形態の構成を示した斜視図。
【図８】従来の放電ランプ点灯装置の構成例を示したブロック図。
【図９】図８に示したタイマー回路の出力値の時間経過変化例を示した図。
【図１０】図８に示したタイマー回路の出力値の他の時間経過変化例を示した図。
【符号の説明】
１  交流電源
２  整流回路
３  インバータ回路
４  負荷回路
５  制御回路
６  点灯検出回路
７  異常検出回路
８  フィラメント装着検出回路
９  比較回路
１０  タイマー回路
１１  タイマーリセット回路
１３  時定数変更回路
４１  放電ランプ
７１  照明装置本体
７２  蛍光ランプ
７３  反射板
Ｃ７  コンデンサ
Ｄ３  ダイオード
Ｒ２、Ｒ３  抵抗
Ｔｒ３、Ｔｒ５  トランジスタ
【図１】
0003915156.tif 000002
【図２】
0003915156.tif 000003
【図３】
0003915156.tif 000004
【図４】
0003915156.tif 000005
【図５】
0003915156.tif 000006
【図６】
0003915156.tif 000007
【図７】
0003915156.tif 000008
【図８】
0003915156.tif 000009
【図９】
0003915156.tif 000010
【図１０】
0003915156.tif 000011